(57)【要約】 【課題】    回収袋内に回収したテニスボールの一部が回収口側に逆流するのを阻止することのできるテニスボール回収器を提供することにある。【解決手段】    テニスボールａの回収口２の後部側に後方に延びる網状の回収袋３を取り付け、回収袋３の回収口２近くに回収袋内のテニスボールａが逆流するのを防ぐくびれ４を設けると共に、回収口２の上部に前方に向けて斜め上方に延びる柄杆５を設けた。【選択図】        図１
2007319258.tif 000002
【特許請求の範囲】
【請求項１】
テニスボールの回収口の後部側に後方に延びる網状の回収袋を取り付け、回収袋の回収口近くに回収袋内のテニスボールが逆流するのを防ぐくびれを設けたことを特徴とするテニスボール回収器。
【請求項２】
テニスボールの回収口の後部側に後方に延びる網状の回収袋を取り付け、回収袋の回収口近くに回収袋内のテニスボールが逆流するのを防ぐくびれを設けると共に、回収口の上部に前方に向けて斜め上方に延びる柄杆を設けたことを特徴とするテニスボール回収器。
【発明の詳細な説明】
【技術分野】
【０００１】
本発明は、グランド上に転がった多数のテニスボールを回収するためのテニスボール回収器に関するものである。
【背景技術】
【０００２】
グランド上に転がった多数のテニスボールを回収するための回収器として、たとえば特開２００２−３２５８６５のテニスボール拾集具が出願されている。
【特許文献１】特開２００２−３２５８６５
【発明の開示】
【発明が解決しようとする課題】
【０００３】
しかしながら、上記特開２００２−３２５８６５は、テニスボールの拾集口となる口枠金の後部に取り付けられた網状の拾集袋の開口断面が、拾集口と同じ大きさの開口断面で後方に延びているため、収集袋内に収集したテニスボールの一部が収集口側に逆流して収集袋内から外側にこぼれ出易いという問題があった。
【０００４】
また、テニスボールを回収するためにこのテニスボール拾集具の柄杆をつかんで前方に引きずりながら移動させるとき、柄杆が垂直に取り付けられているので、腕への負担が大きくなり、その分テニスボール拾集作業における疲労が大きかった。
この疲労を小さくするために垂直に取り付けられている柄杆を前方に傾けると、口枠金も前方に傾くことになり、口枠金の下部の傾斜誘導面の角度も急角度になり、テニスボールが入りにくくなるため、柄杆を前方に傾けてのテニスボールの拾集作業は行ないにくかった。
【０００５】
テニスボール拾集具の柄杆をつかんで持ち上げたとき、柄杆が垂直に取り付けられているので回収口が斜め上向きにならず横向きになるため、テニスボールが回収口付近まで多く入っている場合には簡単にこぼれ出ることがある。
【０００６】
本発明は、上記のような課題に鑑み、その課題を解決すべく創案されたものであって、その目的とするところは、回収袋内に回収したテニスボールの一部が回収口側に逆流するのを阻止することのできるテニスボール回収器を提供することにある。
【課題を解決するための手段】
【０００７】
請求項1の発明は、テニスボールの回収口の後部側に後方に延びる網状の回収袋を取り付け、回収袋の回収口近くに回収袋内のテニスボールが逆流するのを防ぐくびれを設けたことにより、上記課題を解決したものである。
【０００８】
請求項2の発明は、テニスボールの回収口の後部側に後方に延びる網状の回収袋を取り付け、回収袋の回収口近くに回収袋内のテニスボールが逆流するのを防ぐくびれを設けると共に、回収口の上部に前方に向けて斜め上方に延びる柄杆を設けたことにより、上記課題を解決したものである。
【発明の効果】
【０００９】
請求項1、2の発明によれば、網状の回収袋の回収口近くにくびれを設けたので、このくびれにより回収袋内のテニスボールが逆流して回収口からこぼれ出るのを簡単に防ぐことができる。
【００１０】
請求項2の発明によれば、回収口の上部に前方に向けて斜め上方に延びる柄杆を設けたことにより、テニスボールを回収するためにこのテニスボール回収器の柄杆をつかんで前方に引きずりながら移動させるとき、柄杆が垂直に取り付けられている場合に比べ小さい力で移動させることができ、その分テニスボール回収作業における疲労の低減を図ることができる。
【００１１】
請求項2の発明によれば、回収口の上部に前方に向けて斜め上方に延びる柄杆を設けたことにより、このテニスボール回収器の柄杆をつかんで持ち上げたとき、柄杆が垂直に取り付けられている場合には回収口が斜め上向きにならないのに対して、本発明では回収口が斜め上向きになるので、テニスボールが回収口付近まで多く入っていても簡単にこぼれ出ることがない。
【発明を実施するための最良の形態】
【００１２】
本発明のテニスボール回収器１は、回収袋３内のテニスボールａが逆流して回収口２からこぼれ出るのを簡単に防ぐことができるものである。
【００１３】
テニスボール回収器１は、テニスボールの回収口２、回収口２の後部側に後方に延びる網状の回収袋３、回収袋３の回収口２の近くに設けられたくびれ４、回収口２の上部に前方に向けて斜め上方に向けて設けられた柄杆５などから構成されている。
【００１４】
テニスボールの回収口２はたとえば四角形枠の形状からなる。回収口２はテニスボールａを回収する際にはテニスボールａの流入口となる部分である。回収口２はたとえばその幅はテニスボール５個分前後、高さはテニスボール３個分前後の広さになっており多くのテニスボールが回収できるようになっている。
【００１５】
回収袋３は、たとえば網目の袋状になっており、回収したボールを蓄えるものである。回収袋３は、例えばテニスボール４０個前後が入る大きさである。材料は布が考えられるが、合成繊維など柔軟素材であれば良い。
【００１６】
くびれ４は、回収袋３内に回収したテニスボールａが逆流して回収口２からこぼれ出るのを防ぐ役割をはたすもので、回収袋３の回収口２の近くに設けられている。くびれ４の大きさは、幅２個前後、高さ１．５個前後ほどである。くびれ４から前方の回収口２まではテーパ状に広がっていてテニスボールａがスムーズに入り易くなっている。くびれ４から後方側は段差状になっていてテニスボールａが逆流しにくくなっている。
【００１７】
柄杆５は、テニスボール回収器1でテニスボールａを回収する場合に手で掴む部分で、回収口２の上部に前方に向けて斜め上方に向けて設けられている。テニスボールａを回収するためにこのテニスボール回収器１を前方に引きずりながら移動させるとき、柄杆が垂直に取り付けられている場合に比べ小さい力で移動させることができ、その分テニスボール回収作業における疲労の低減を図ることができる。また、このテニスボール回収器１の柄杆５をつかんで持ち上げたとき、回収口２が斜め上向きになるので、テニスボールが回収口付近まで多く入っていても簡単にこぼれ出ることがない。
【００１８】
次に、上記発明を実施するための最良の形態の構成に基づくテニスボール回収器の使用方法について以下説明する。
【００１９】
グランドに多数転がっているテニスボールａを回収する際、柄杆５を持ち、テニスボール回収器1を転がっているテニスボール付近まで引きずり誘導する。テニスボールａは、柄杆５を引きずる勢いで回収口２を乗り越え、回収口２内に入り込む。
【００２０】
回収口２から入ったテニスボールａは、回収口２からくびれ４までのテーパ状に広がっている底面上をスムーズに転がり、くびれ４に差し掛かり、くびれ４を通過する。多数のテニスボールが入った場合も、テニスボールは、柄杆５を引きずる勢いで、連続してくびれ４を通過する。
【００２１】
くびれ４を通過したテニスボールａは回収袋３に入る。くびれ４と回収袋３は段差状になっているので、テニスボールａは、回収口２方向に逆流することはない。また、多数のテニスボールが回収された場合も、くびれ４の口が狭いので逆流することはない。
【００２２】
また、繰り返しテニスボールａを回収するときも、くびれ４と回収袋３に段差があり、テニスボールａが回収袋３から逆流しないので、スムーズにテニスボールａを回収することができる。
【００２３】
回収した多数のテニスボールを別の容器に移し換えるときなど、回収袋３を持ち上げるときは、柄杆５を握って垂直方向に回収袋３を持ち上げる。このとき、柄杆５が回収口２に対し、斜め上向きになっているので回収口２が上方を向き、テニスボールａが回収口２からこぼれ出ることがない。
【図面の簡単な説明】
【００２４】
【図１】本発明を実施するための最良の形態を示すテニスボール回収器の斜視図である。
【図２】本発明を実施するための最良の形態を示すテニスボール回収器の側面図である。
【図３】本発明を実施するための最良の形態を示すテニスボール回収器の持ち上げ時の側面図である。
【符号の説明】
【００２５】
１、テニスボール回収器
２、回収口
３、回収袋
４、くびれ
５、柄杆
ａ、テニスボール
【図１】
2007319258.tif 000003
【図２】
2007319258.tif 000004
【図３】
2007319258.tif 000005
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
テニスボールの回収口の後部側に後方に延びる柔軟素材からなる網状の回収袋を取り付け、回収袋の回収口近くに回収袋内のテニスボールが逆流するのを防ぐくびれを設けたことを特徴とするテニスボール回収器。
【請求項２】
テニスボールの回収口の後部側に後方に延びる柔軟素材からなる網状の回収袋を取り付け、回収袋の回収口近くに回収袋内のテニスボールが逆流するのを防ぐくびれを設けると共に、回収口の上部に前方に向けて斜め上方に延び且つ回収口の上部両端に端部がそれぞれ連結されるＵ字型の柄杆を設けたことを特徴とするテニスボール回収器。
【手続補正２】
【補正対象書類名】明細書
【補正対象項目名】０００７
【補正方法】変更
【補正の内容】
【０００７】
請求項１の発明は、テニスボールの回収口の後部側に後方に延びる柔軟素材からなる網状の回収袋を取り付け、回収袋の回収口近くに回収袋内のテニスボールが逆流するのを防ぐくびれを設けたことにより、上記課題を解決したものである。
【手続補正３】
【補正対象書類名】明細書
【補正対象項目名】０００８
【補正方法】変更
【補正の内容】
【０００８】
請求項２の発明は、テニスボールの回収口の後部側に後方に延びる柔軟素材からなる網状の回収袋を取り付け、回収袋の回収口近くに回収袋内のテニスボールが逆流するのを防ぐくびれを設けると共に、回収口の上部に前方に向けて斜め上方に延び且つ回収口の上部両端に端部がそれぞれ連結されるＵ字型の柄杆を設けたことにより、上記課題を解決したものである。
【手続補正４】
【補正対象書類名】明細書
【補正対象項目名】００１７
【補正方法】変更
【補正の内容】
【００１７】
柄杆５は、テニスボール回収器1でテニスボールａを回収する場合に手で掴む部分で、回収口２の上部に前方に向けて斜め上方に向けて設けられている。また、図１から直接的かつ一義的に特定されるように、柄杆５はＵ字型の形状を有し、Ｕ字型の両端部は回収口２の上部両端にそれぞれ連結されている。テニスボールａを回収するためにこのテニスボール回収器１を前方に引きずりながら移動させるとき、柄杆が垂直に取り付けられている場合に比べ小さい力で移動させることができ、その分テニスボール回収作業における疲労の低減を図ることができる。また、このテニスボール回収器１の柄杆５をつかんで持ち上げたとき、回収口２が斜め上向きになるので、テニスボールが回収口付近まで多く入っていても簡単にこぼれ出ることがない。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
テニスボールの回収口の後部側に後方に延びる柔軟素材からなる網状の回収袋を取り付け、回収袋の回収口近くに回収袋内のテニスボールが逆流するのを防ぐくびれを設けると共に、前方に向けて開口する回収口の上部に前方に向けて斜め上方に延び且つ回収口の上部両端に端部がそれぞれ連結されるＵ字型の柄杆を設け、柄杆の垂直方向持ち上げ時の回収口を斜め上向きとしたことを特徴とするテニスボール回収器。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項１の発明は、テニスボールの回収口の後部側に後方に延びる柔軟素材からなる網状の回収袋を取り付け、回収袋の回収口近くに回収袋内のテニスボールが逆流するのを防ぐくびれを設けると共に、前方に向けて開口する回収口の上部に前方に向けて斜め上方に延び且つ回収口の上部両端に端部がそれぞれ連結されるＵ字型の柄杆を設け、柄杆の垂直方向持ち上げ時の回収口を斜め上向きとしたことにより、上記課題を解決したものである。
【手続補正４】
【補正対象書類名】明細書
【補正対象項目名】００１７
【補正方法】変更
【補正の内容】
【００１７】
柄杆５は、テニスボール回収器1でテニスボールａを回収する場合に手で掴む部分で、図１及び図２から直接的かつ一義的に特定されるように、前方に向けて開口する回収口２の上部に前方に向けて斜め上方に向けて設けられている。また、図１から直接的かつ一義的に特定されるように、柄杆５はＵ字型の形状を有し、Ｕ字型の両端部は回収口２の上部両端にそれぞれ連結されている。テニスボールａを回収するためにこのテニスボール回収器１を前方に引きずりながら移動させるとき、柄杆が垂直に取り付けられている場合に比べ小さい力で移動させることができ、その分テニスボール回収作業における疲労の低減を図ることができる。また、図３から直接的かつ一義的に特定されるように、このテニスボール回収器１の柄杆５をつかんで垂直方向に持ち上げたとき、回収口２が斜め上向きになるので、テニスボールが回収口付近まで多く入っていても簡単にこぼれ出ることがない。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
テニスボールの回収口の後部側に後方に延びる柔軟素材からなり且つ全表面が網目の袋状からなる回収袋を取り付け、回収袋の回収口近くに回収袋内のテニスボールが逆流するのを防ぐくびれを設けると共に、前方に向けて開口する回収口の上部に前方に向けて斜め上方に延び且つ回収口の上部両端に端部がそれぞれ連結されるＵ字型の柄杆を設け、柄杆の垂直方向持ち上げ時の回収口を斜め上向きとしたことを特徴とするテニスボール回収器。
【手続補正２】
【補正対象書類名】明細書
【補正対象項目名】０００８
【補正方法】変更
【補正の内容】
【０００８】
請求項１の発明は、テニスボールの回収口の後部側に後方に延びる柔軟素材からなり且つ全表面が網目の袋状からなる回収袋を取り付け、回収袋の回収口近くに回収袋内のテニスボールが逆流するのを防ぐくびれを設けると共に、前方に向けて開口する回収口の上部に前方に向けて斜め上方に延び且つ回収口の上部両端に端部がそれぞれ連結されるＵ字型の柄杆を設け、柄杆の垂直方向持ち上げ時の回収口を斜め上向きとしたことにより、上記課題を解決したものである。
【手続補正３】
【補正対象書類名】明細書
【補正対象項目名】００１５
【補正方法】変更
【補正の内容】
【００１５】
回収袋３は、図１〜図３から直接的かつ一義的に特定されるように、全表面が網目の袋状になっており、回収したボールを蓄えるものである。回収袋３は、例えばテニスボール４０個前後が入る大きさである。材料は布が考えられるが、合成繊維など柔軟素材であれば良い。